(57)【要約】【課題】  サーバと通信するように構成された通信装置の菅理を提供する。【解決手段】  第１の通信ネットワーク（ＧＳＭＮＥＴ）と第２の通信ネットワーク（ＩＰＮＥＴ）とを通じてサーバ（ＳＥＲＶ）と通信するように構成された通信装置（ＭＰ）を菅理する方法。本方法は、サーバ（ＳＥＲＶ）が第１の通信ネットワークを通じて通信装置（ＭＰ）に菅理要求命令を送る命令段階と、通信装置（ＭＰ）が菅理要求命令を実行し、それによって第２の通信ネットワーク（ＩＰＮＥＴ）を通じて通信装置（ＭＰ）における作動をもたらすように通信装置（ＭＰ）がサーバ（ＳＥＲＶ）に要求する実行段階とを含むことを特徴とする。
2005529550.tif 000002
【特許請求の範囲】
【請求項１】
第１の通信ネットワーク（ＧＳＭＮＥＴ）と第２の通信ネットワーク（ＩＰＮＥＴ）とを通じてサーバ（ＳＥＲＶ）と通信するように構成された通信装置（ＭＰ）を菅理する方法であって、
サーバ（ＳＥＲＶ）が第１の通信ネットワークを通じて通信装置（ＭＰ）に菅理要求命令を送る命令段階と、
前記通信装置（ＭＰ）が前記菅理要求命令を実行し、それによって第２の通信ネットワーク（ＩＰＮＥＴ）を通じて該通信装置（ＭＰ）における作動をもたらすように該通信装置（ＭＰ）が前記サーバ（ＳＥＲＶ）に要求する実行段階と、
を含むことを特徴とする方法。
【請求項２】
前記第１の通信ネットワークは、ＧＳＭネットワーク（ＧＳＭＮＥＴ）であり、
前記第２の通信ネットワークは、ＧＰＲＳベースのネットワーク（ＩＰＮＥＴ）である、
ことを特徴とする請求項１に記載の方法。
【請求項３】
前記菅理要求命令は、「ショートメッセージサービス」を使用して送られることを特徴とする請求項２に記載の方法。
【請求項４】
前記「ショートメッセージサービス」は、セキュリティプロトコルを使用して暗号化されることを特徴とする請求項３に記載の方法。
【請求項５】
サーバ（ＳＥＲＶ）と、第１の通信ネットワーク（ＧＳＭＮＥＴ）と第２の通信ネットワーク（ＩＰＮＥＴ）とを通じて該サーバ（ＳＥＲＶ）と通信するように構成された通信装置（ＭＰ）とを含むシステムであって、
サーバ（ＳＥＲＶ）は、第１の通信ネットワークを通じて菅理要求命令を通信装置（ＭＰ）に送るように構成され、
前記通信装置（ＭＰ）は、前記菅理要求命令を実行し、それによって第２の通信ネットワーク（ＩＰＮＥＴ）を通じて該通信装置（ＭＰ）における作動をもたらすように該通信装置（ＭＰ）が前記サーバ（ＳＥＲＶ）に要求するように構成される、
ことを特徴とするシステム。
【請求項６】
前記第１の通信ネットワークは、ＧＳＭネットワーク（ＧＳＭＮＥＴ）であり、
前記第２の通信ネットワークは、ＧＰＲＳベースのネットワーク（ＩＰＮＥＴ）である、
ことを特徴とする請求項５に記載のシステム。
【請求項７】
第１の通信ネットワーク（ＧＳＭＮＥＴ）と第２の通信ネットワーク（ＩＰＮＥＴ）とを通じてサーバ（ＳＥＲＶ）と通信するように構成された通信装置（ＭＰ）のためのコンピュータプログラム製品であって、
通信装置（ＭＰ）が第１の通信ネットワークを通じてサーバ（ＳＥＲＶ）から菅理要求命令を受け取る命令受信段階と、該通信装置（ＭＰ）が該菅理要求命令を実行し、それによって第２の通信ネットワーク（ＩＰＮＥＴ）を通じて該通信装置（ＭＰ）における作動をもたらすように該通信装置（ＭＰ）が該サーバ（ＳＥＲＶ）に要求する実行段階とを、該通信装置に読み込まれた時に該通信装置に実行させる命令セット、
を含むことを特徴とする製品。
【請求項８】
第１の通信ネットワーク（ＧＳＭＮＥＴ）と第２の通信ネットワーク（ＩＰＮＥＴ）とを通じてサーバ（ＳＥＲＶ）と通信するように構成された通信装置（ＭＰ）に挿入される集積回路カードであって、
集積回路カードが第１の通信ネットワークを通じてサーバ（ＳＥＲＶ）から菅理要求命令を受け取る命令受信段階と、集積回路カードが該菅理要求命令を実行し、それによって第２の通信ネットワーク（ＩＰＮＥＴ）を通じて通信装置（ＭＰ）における作動をもたらすように該通信装置（ＭＰ）が該サーバ（ＳＥＲＶ）に要求する実行段階とを実行するように構成された、
ことを特徴とするカード。
【発明の詳細な説明】
【技術分野】
【０００１】
本発明は、サーバと通信するように構成された通信装置の菅理に関する。通信装置は、例えば、携帯電話に存在する加入者識別モジュール（ＳＩＭ）とすることができる。
【背景技術】
【０００２】
ＧＳＭネットワーク（ＧＳＭＮＥＴ）においては、ＳＭＳ（ショートメッセージサービス）メッセージは、データ又はアプリケーションを遠隔コンテントサーバから携帯電話に挿入されたＳＩＭカード内に読み込むために使用することができる。これは、リモートコンテントサーバの主導で行うことができる。これは、携帯電話が着信ＳＭＳメッセージに関して受信待機中であるから可能である。
【０００３】
ＵＳ２００１／００１５９７７は、プッシュサーバ、「ショートメッセージサービスセンター（ＳＭＳ−Ｃ）」、無線通信ステーション、及び「ドメインネームサーバ（ＤＮＳ）」を含むシステムを開示している。プッシュサーバは、ＣＭＳ−ＣにＳＭＳをＧＳＭ又はＧＰＲＳチャンネルを通じて無線通信ステーションに送信させる。ＳＭＳは、ＩＰアドレスとプッシュサーバのポート番号とを含む。次に、無線通信ステーションは、ＩＰアドレスをＤＮＳサーバに送る。ＤＮＳサーバは、対応するサーバホスト名を無線通信ステーションに送り戻す。サーバホスト名は、次に、無線通信ステーション上に表示される。ユーザは、データをプッシュサーバから受信したいか否かを決める必要がある。ユーザが「イエス」を入力した場合、処理は、次にＢＰＲＳ接続フェーズで継続される。プッシュサーバは、次に、ＧＰＲＳステーションへデータの送信を開始する。
【０００４】
【特許文献１】ＵＳ２００１／００１５９７７
【発明の開示】
【０００５】
本発明の目的は、より効率的に通信装置を菅理するということである。
本発明の１つの態様によれば、第１の通信ネットワークと第２の通信ネットワークとを通じてサーバと通信するように構成された通信装置を菅理する方法は、サーバが第１の通信ネットワークを通じて通信装置に菅理要求命令を送る命令段階と、通信装置が菅理要求命令を実行し、それによって第２の通信ネットワークを通じて通信装置における作動をもたらすように通信装置がサーバに要求する実行段階とを含むことを特徴とする。
【０００６】
第１の通信ネットワークは、例えば、ＧＳＭネットワークとすることができる。第２の通信ネットワークは、例えば、ＧＰＲＳ（汎用パケット無線サービス）ネットワークとすることができる。通信装置は、例えば、ＳＩＭカードが挿入された携帯電話とすることができる。
ＧＳＭネットワークは、サーバがそれ自身の主導でＳＭＳメッセージをいくつかの携帯電話に同時に送ることを可能にする。ＧＳＭネットワークは、従って、命令を拡散することを可能にする。
【０００７】
いくつかの携帯電話は、ＧＰＲＳネットワーク及びＧＳＭネットワークを通じてＧＰＲＳと通信することができる。一般的に、ＧＰＲＳネットワークは、命令を拡散させない。更に、ＧＰＲＳネットワークを通じた通信は、携帯電話の主導によってのみ確立することができ、サーバの主導ではない。この理由は、ＧＰＲＳネットワークが「インターネットプロトコル（ＩＰ）」に基づくということである。しかし、ＧＰＲＳネットワークは、一般的に比較的広い帯域幅を有し、これは、データの高速転送を可能にする。同じことは、例えば「ユニバーサル・モバイル・テレコミュニケーション・システム（ＵＭＴＳ）」ネットワークのようなＩＰベースの他の種類のネットワークにも適用される。
【０００８】
本発明によれば、サーバは、ＧＳＭネットワークを使用して、菅理命令自体ではなく菅理要求命令を拡散する。菅理要求命令により、携帯電話又はそれに挿入されたＳＩＭカードは、ＧＰＲＳネットワーク又は類似のネットワークを通じて１つ又はそれ以上の菅理命令をそれに送るようにサーバに自動的に要求する。すなわち、携帯電話又はそれに挿入されたＳＩＭカードは、比較的広い帯域幅を有するＧＰＲＳネットワークを通じて菅理される。その結果、携帯電話又はそれに挿入されたＳＩＭカードを比較的短時間に菅理することができる。ＵＳ２００１／００１５９７とは逆に、ユーザの介入はない。本発明により、遠隔通信オペレータは、従って、ＧＰＲＳコンテキストでもキャンペーンを行うことができる。その結果、本発明は、より効率的な通信装置の菅理を可能にする。
【発明を実施するための最良の形態】
【０００９】
図１は、無線ネットワークシステムを示す。無線ネットワークシステムは、携帯電話ＭＰに挿入されるＳＩＭカードＳＩＣを含む。
携帯電話ＭＰは、ＧＳＭネットワークＧＳＭＮＥＴ及びＧＰＲＳ（汎用パケット無線サービス）ベースのネットワークＩＰＮＥＴを通じてコンテントサーバＳＥＲＶと通信するように構成される。ＧＰＲＳベースのネットワークは、一般的に、ＧＳＭネットワークＧＳＭＮＥＴよりも高速のデータ転送を有する。
【００１０】
コンテントサーバＳＥＲＶは、ＳＩＭカードＳＩＣに読み込まれるデータ又は様々なアプリケーションを含むことができる。これらのアプリケーション又はデータは、サーバＳＥＲＶの１つ又はいくつかのポートを通じて読み込むことができる。データ又はアプリケーションは、ＳＩＭカード経由モード又はキャンペーンベースで読み込むことができる。後者の場合は、サーバＳＥＲＶは、データをＳＩＭカード（ＳＩＣ）のグループにロードする。それは、多少「ブロードキャスト」更新のようなものである。
【００１１】
携帯電話ＭＰは、ＧＳＭネットワークＧＳＭＮＥＴを通じてコンテントサーバＳＥＲＶからＳＭＳメッセージを受信することができる。
携帯電話ＭＰは、ＧＳＭネットワークＧＳＭＮＥＴに対して着信ＳＭＳ（ショートメッセージサービス）メッセージの受信待機中である。
【００１２】
図２は、ＧＰＲＳネットワークを通じて携帯電話ＭＰとコンテントサーバＳＥＲＶとの間の接続を確立する方法を示す。
ＳＭＳ送信段階ＳＭＳＳＥＮＤにおいて、コンテントサーバＳＥＲＶは、ＧＳＭネットワークＧＭＳＮＥＴを通じてＳＭＳメッセージを携帯電話ＭＰに送る。ＳＭＳメッセージは、ＧＰＲＳベースのネットワークＩＰＮＥＴを通じた携帯電話ＭＰとコンテントサーバＳＥＲＶとの間の接続を開くための要求を規定する命令を含む。ＳＭＳメッセージはまた、コンテントサーバＳＥＲＶのアドレスを規定する宛先データと、サーバＳＥＲＶの特定のポート、例えばポート番号ＰＯＲＴＮＵＭを規定するデータとを含むことができる。有利な態様においては、ＳＭＳは、例えば「ＥＴＳＩ（ヨーロッパ電気通信規格研究所）ＧＳＭ３．４８」規格で規定されるようなセキュリティプロトコルを使用して暗号化することができる。
【００１３】
ＳＭＳ配信段階ＳＭＳＤＥＬＩＶＥＲにおいて、携帯電話ＭＰは、ＳＭＳメッセージをＳＩＭカードＳＩＣに配信する。ＳＩＭカードＳＩＣは、ＳＭＳメッセージに含まれた命令及びデータを分析して理解することができるソフトウエアを含む。このソフトウエアは、ＳＩＭカード上のオペレーティングシステムの一部又はＳＩＭカードＳＩＣ上のアプリケーションとすることができる。
【００１４】
接続開設段階ＣＯＮＯＰＥＮにおいて、ＳＩＭカードＳＩＣは、携帯電話ＭＰに対して、ＧＰＲＳベースのネットワークＩＰＮＥＴを通じてコンテントサーバＳＥＲＶとの接続を確立するように要求する。その趣旨で、例えば、ＳＩＭカード（ＳＩＣ）は、受信した宛先データとサーバＳＥＲＶの特定ポートを規定するデータとを使用することができる。
接続が確立された状態で、コンテントサーバＳＥＲＶは、ＧＰＲＳベースのネットワークを通じて、ＳＩＭカードＳＩＣにデータ又はアプリケーションをロードすることができる。
【００１５】
すなわち、要約すると、コンテントサーバＳＥＲＶは、ＧＳＭネットワークＧＳＭＮＥＴを使用して、携帯電話ＭＰにＧＰＲＳベースのネットワークを通じた接続を確立するように命令する。その結果、サーバ（ＳＥＲＶ）は、ＳＩＭカード（ＳＩＣ）におけるデータ、アプリケーション、又は他のエンティティを管理する主導権を取る。
携帯電話ＭＰとＳＩＭカードＳＩＣとの間の通信は、例えば「３ＧＰＰ  ＴＳ  １１．１４」プロトコル及び「３ＧＰＰ  ＴＳ  ３１．１１１」プロトコルを使用して行うことができる。携帯電話ＭＰとコンテントサーバＳＥＲＶとの間の通信は、例えば「３ＧＰＰ  ＴＳ  ０３．６０」プロトコルを使用して行うことができる。
【００１６】
以上の説明は、サーバ（ＳＥＲＶ）が第１の通信ネットワークを通じて通信装置（ＭＰ）に菅理要求命令を送る命令段階と、通信装置（ＭＰ）が菅理要求命令を実行し、それによって第２の通信ネットワーク（ＩＰＮＥＴ）を通じて通信装置（ＭＰ）における作動をもたらすように通信装置（ＭＰ）がサーバ（ＳＥＲＶ）に要求する実行段階とを含むことを特徴とする、第１の通信ネットワーク（ＧＳＭＮＥＴ）と第２の通信ネットワーク（ＩＰＮＥＴ）とを通じてサーバ（ＳＥＲＶ）と通信するように構成された通信装置（ＭＰ）を菅理する方法という特徴を示すものである。
【００１７】
本発明を実施する様々な方式が存在する。ＧＰＲＳベースのネットワークＩＰＮＥＴはまた、ＵＭＴＳ（ユニバーサル・モバイル・テレコミュニケーション・システム）、無線ＬＡＮ（ローカルエリアネットワーク）ネットワーク、又は、より一般的には、任意のＩＰ（インターネットプロトコル）ベースのネットワークとすることができる。ＩＰベースのネットワークとは、ＩＰ（インターネットプロトコル）を使用するネットワークである。「Ｂｌｕｅｔｏｏｔｈ」又は「ＩｒＤＡ（ＩｎｆｒａＲｅｄＡｓｓｏｃｉａｔｉｏｎＤａｔａ）」を使用することもできる。
【００１８】
また、１つよりも多いＩＰベースネットワークが存在することができる。例えば、ＧＰＲＳベースネットワーク及びＵＭＴＳベースネットワークの両方を有することができる。
また、１つよりも多いコンテントサーバＳＥＲＶも存在することができる。例えば、携帯電話に第２のコンテントサーバとの通信を確立させる第１のコンテントサーバを有することができるであろう。
【００１９】
ＳＩＭカードＳＩＣを有する携帯電話ＭＰを使用することができるばかりでなく、携帯電話ＭＰ単独、ＰＤＡ（携帯情報端末）、又は上述のネットワークと通信することができる他の任意の通信装置を使用することもできる。
サーバ（ＳＥＲＶ）は、通信ネットワークを通じて通信装置（ＭＰ）を菅理することができる任意の遠隔装置とすることができる。
【図面の簡単な説明】
【００２０】
【図１】無線ネットワークシステムを示す図である。
【図２】ＧＰＲＳネットワークを通じて携帯電話とコンテントサーバとの間の接続を確立する方法を示す図である。
【符号の説明】
【００２１】
ＳＥＲＶ  コンテントサーバ
ＧＳＭＮＥＴ  ＧＳＭネットワーク
ＩＰＮＥＴ  ＧＰＲＳ（汎用パケット無線サービス）ベースのネットワーク
ＭＰ  携帯電話
ＳＩＣ  ＳＩＭ（加入者識別モジュール）カード
【図１】
2005529550.tif 000003
【図２】
2005529550.tif 000004
【国際調査報告】
2005529550.tif 000005
2005529550.tif 000006
2005529550.tif 000007